【手続補正書】
【提出日】平成23年6月22日(2011.6.22)
【手続補正１】
【補正対象書類名】特許請求の範囲
【補正対象項目名】全文
【補正方法】変更
【補正の内容】
【特許請求の範囲】
【請求項１】
下記式（Ｉ）、（Ｃ）または（ＣＩ）：
【化１】
2009108302.tif 000001
［式中、
Ｒ１は、水素、任意に置換されたＣ１〜Ｃ８アルキル、または任意に置換されたＣ３〜Ｃ８シクロアルキルであり、
Ｂは、式−Ｏ−Ｂ１−Ｏ−または−ＣＨ２−Ｂ２−ＣＨ２−の架橋であり、
Ｂ１は、式：
【化２】
2009108302.tif 000002
の架橋であり、
Ｂ２は、式：
【化３】
2009108302.tif 000003
の架橋であり、
Ｒ２は、水素、メチル、エチル、メトキシ、またはフッ素であり、
Ｘは、式：
【化４】
2009108302.tif 000004
の架橋であり、
Ｙは、式：
【化５】
2009108302.tif 000005
の架橋であり、
ｌは０〜８の整数であり、
ｍ、ｎ、ｐおよびｒは互いに独立して１〜８の整数であり、
ｑは２〜８の整数であり、
ｓおよびｔは互いに独立して１〜４の整数であり、
Ｒ２０およびＲ２２は互いに独立してシアノまたは任意に置換されたＣ１〜Ｃ８アルコキシカルボニルであり、
Ｒ２１は、水素または任意に置換されたＣ１〜Ｃ３アルキルであり、
Ｒ２３は、水素、任意に置換されたＣ１〜Ｃ８アルキルまたは任意に置換されたＣ１〜Ｃ８アルコキシカルボニルであり、
Ｒ２４は、シアノ、任意に置換されたＣ１〜Ｃ８アルキルスルホニルまたは任意に置換されたＣ１〜Ｃ８アルコキシカルボニルであり、
Ｒ２５は、任意に置換されたＣ１〜Ｃ８アルキル、任意に置換されたＣ３〜Ｃ７シクロアルキル、任意に置換されたＣ６〜Ｃ１０アリールであり、
Ｒ２６は水素であるか、またはＲ２５とは無関係にＲ２５の定義を有するか、あるいはＮＲ２５Ｒ２６は、ピロリジノ、ピペリジノまたはモルホリノであり、
Ｒ２７は、水素、任意に置換されたＣ１〜Ｃ８アルキル、任意に置換されたＣ１〜Ｃ８アルコキシ、フッ素、シアノ、任意に置換されたＣ３〜Ｃ７シクロアルキルまたは任意に置換されたＣ６〜Ｃ１０アリールを有する１つ以上の基であり、
Ｒ２８は水素または任意に置換されたＣ１〜Ｃ８アルキルである］
の少なくとも１種のレッド染料と、
下記式（Ｌ）、（ＬＩ）、（ＬＩＩ）、（ＬＩＩＩ）、（ＬＩＶ）または（ＬＶ）：
【化６Ａ】
2009108302.tif 000006
【化６Ｂ】
2009108302.tif 000007
［式中、
Ｒ１０は、水素、任意に置換されたＣ１〜Ｃ８アルキル、任意に置換されたＣ１〜Ｃ８アルコキシ、任意に置換されたＣ１〜Ｃ８アルキルスルホニル、任意に置換されたＣ１〜Ｃ８アルコキシカルボニル、ニトロ、シアノまたはフッ素であり、
Ｒ１１は、水素、任意に置換されたＣ１〜Ｃ８アルキル、任意に置換されたＣ１〜Ｃ８アルコキシ、任意に置換されたＣ１〜Ｃ８アルコキシカルボニル、ニトロ、シアノまたはフッ素であり、
Ｒ１２は、水素、任意に置換されたＣ１〜Ｃ８アルキルまたは任意に置換されたＣ３〜Ｃ８シクロアルキルであり、
Ｒ１３は、水素、任意に置換されたＣ１〜Ｃ８アルキルまたは任意に置換されたＣ１〜Ｃ８アルコキシカルボニルであり、
Ｒ１４は、シアノ、任意に置換されたＣ１〜Ｃ８アルキルスルホニルまたは任意に置換されたＣ１〜Ｃ８アルコキシカルボニルであり、
Ｘ１はＯまたはＳであり、
Ｘ２はＮまたはＣ−ＣＮであり、
Ｒ１５およびＲ１６は互いに独立して、任意に置換されたＣ１〜Ｃ８アルキル、任意に置換されたＣ３〜Ｃ８シクロアルキルまたは任意に置換されたＣ６〜Ｃ１０アリールであるか、または
ＮＲ１５Ｒ１６は、ピロリジノ、ピペリジノまたはモルホリノであり、
Ｒ１７は水素またはＣ１〜Ｃ８アルキルであり、
Ｒ１８は任意に置換されたＣ６〜Ｃ１０アリールであり、
Ｒ２３’は、水素、任意に置換されたＣ１〜Ｃ８アルキルまたは任意に置換されたＣ１〜Ｃ８アルコキシカルボニルであり、
Ｒ２４’は、シアノ、任意に置換されたＣ１〜Ｃ８アルキルスルホニルまたは任意に置換されたＣ１〜Ｃ８アルコキシカルボニルであり、
Ｒ２５’は、任意に置換されたＣ１〜Ｃ８アルキル、任意に置換されたＣ３〜Ｃ７シクロアルキル、任意に置換されたＣ６〜Ｃ１０アリールであり、
Ｒ２６’は水素であるか、またはＲ２５’とは独立にＲ２５’の定義を有するか、あるいはＮＲ２５’Ｒ２６’は、ピロリジノ、ピペリジノまたはモルホリノであり、
Ｒ４３およびＲ４４は互いに独立して、水素、任意に置換されたＣ１〜Ｃ４アルキル、より特にモノ−またはポリ−フッ素置換Ｃ１〜Ｃ４アルキル、ニトロ、シアノ、Ｃ１〜Ｃ４アルコキシカルボニルであり、
Ｒ４５は、水素、メチル、フッ素または塩素である］
の少なくとも１種のオレンジ染料と
を含む混合物。
【請求項２】
１５〜８０重量％、より特に１５〜７０重量％の請求項１に記載の混合物および担体を含むマスターバッチ。
【請求項３】
プラスチックの原料着色のための請求項１に記載の混合物の使用。
【請求項４】
プラスチックを原料着色する方法であって、好ましくはマスターバッチの形態を取った請求項１に記載の混合物をプラスチックの溶融塊に組み込むか、または重合の前に、プラスチックを製造するための出発成分に実際に添加することを特徴とする方法。
【請求項５】
請求項１に記載の混合物を含むプラスチック。
【請求項６】
式Ｉ：
【化７】
2009108302.tif 000008
、より特に式（Ｉａ）：
【化８】
2009108302.tif 000009
［式中、
−Ｂ−は、式−Ｏ−Ｂ１−Ｏ−または−ＣＨ２−Ｂ２−ＣＨ２−であり、
Ｒ１は、水素、任意に置換されたＣ１〜Ｃ８アルキル、または任意に置換されたＣ３〜Ｃ８シクロアルキルであり、
Ｂ１は、式：
【化９】
2009108302.tif 000010
の架橋であり、
Ｂ２は、式：
【化１０】
2009108302.tif 000011
の架橋であり、
Ｒ２は、メチル、エチル、メトキシ、またはフッ素であり、
Ｘは、式：
【化１１】
2009108302.tif 000012
の架橋であり、
Ｙは、式：
【化１２】
2009108302.tif 000013
の架橋であり、
ｌは０〜８の整数であり、
ｍ、ｎ、ｐおよびｒは、互いに独立して１〜８の整数であり、
ｑは２〜８の整数であり、
ｓおよびｔは、互いに独立して１〜４の整数である］
の化合物。
【請求項７】
Ｂが請求項６に記載の架橋−Ｏ−Ｂ１−Ｏ−である式（Ｉ）の化合物の染料の製造方法であって、
式（ＩＩ）：
【化１３】
2009108302.tif 000014
［式中、
Ｒ１は、水素、任意に置換されたＣ１〜Ｃ８アルキルまたは任意に置換されたＣ３〜Ｃ８シクロアルキルであり、
Ｒは、塩素、臭素またはフェノキシである］
のアントラキノン化合物を、
式（ＩＩＩ）： 
ＨＯ−Ｂ１−ＯＨ      （ＩＩＩ）
［式中、
Ｂ１は、式：
【化１４】
2009108302.tif 000015
の架橋であり、
Ｒ２は、メチル、エチル、メトキシ、またはフッ素であり、
Ｘは、式：
【化１５】
2009108302.tif 000016
の架橋であり、
Ｙは、式：
【化１６】
2009108302.tif 000017
の架橋であり、
ｌは０〜８の整数であり、
ｍ、ｎ、ｐおよびｒが互いに独立して１〜８の整数であり、
ｑが２〜８の整数であり、
ｓおよびｔが互いに独立して１〜４の整数である］
の二官能性アルコールと、
反応させることを特徴とする製造方法。
【請求項８】
請求項６に記載の式（Ｉ）（式中、
Ｂは架橋−Ｏ−Ｂ１−Ｏ−であり、
Ｂ１は、式：
【化１７】
2009108302.tif 000018
の架橋であり、
Ｙは、式：
【化１８】
2009108302.tif 000019
の二官能性基であり、
ｍ、ｎおよびｒが互いに独立して１〜８の整数であり、
ｎおよびｍは等しく、
ｑは２〜８の整数である）
の化合物を製造する方法であって、
式（ＩＶ）：
【化１９】
2009108302.tif 000020
［式中、
Ｒ１は、水素、任意に置換されたＣ１〜Ｃ８アルキルまたは任意に置換されたＣ３〜Ｃ８シクロアルキルであり、
ｎは１〜８の整数である］
のアントラキノン化合物を、
式（Ｖ）：
【化２０】
2009108302.tif 000021
または式（ＶＩ）：
Ａ−ＣＯ−（ＣＨ２）ｒ−ＣＯ−Ａ      （ＶＩ）
の二官能性酸塩化物またはエステル、
あるいは
式（ＶＩＩ）：
【化２１】
2009108302.tif 000022
または式（ＶＩＩＩ）：
Ｏ＝Ｃ＝Ｎ−（ＣＨ２）ｑ−Ｎ＝Ｃ＝Ｏ      （ＶＩＩＩ）
の二官能性イソシアネート
［式中、
ＡはＣｌまたはメトキシであり、
ｒは１〜８の整数であり、
ｑは２〜８の整数である］
と反応させることを特徴とする製造方法。
【請求項９】
請求項６に記載の式（Ｉ）（式中、
Ｂは架橋−Ｏ−Ｂ１−Ｏ−であり、
Ｂ１は、式：
【化２２】
2009108302.tif 000023
の架橋であり、
Ｒ２は、メチル、エチル、メトキシまたはフッ素であり、
Ｘは、式：
【化２３】
2009108302.tif 000024
の架橋であり、
Ｙは、式：
【化２４】
2009108302.tif 000025
の架橋であり、
ｌは０〜８の整数であり、
ｍ、ｎ、ｐおよびｒは互いに独立して１〜８の整数であり、
ｑは２〜８の整数であり
ｓおよびｔは互いに独立して１〜４の整数である）
の染料を製造する方法であって、
式（ＩＩ）：
【化２５】
2009108302.tif 000026
［式中、
Ｒ１は、水素、任意に置換されたＣ１〜Ｃ８アルキルまたは任意に置換されたＣ３〜Ｃ８シクロアルキルであり、
Ｒは、塩素、臭素またはフェノキシである］
のアントラキノン化合物を
式（ＩＸ）：
【化２６】
2009108302.tif 000027
［式中、
Ｒ１は、水素、任意に置換されたＣ１〜Ｃ８アルキルまたは任意に置換されたＣ３〜Ｃ８シクロアルキルである］
のアントラキノン化合物と反応させることを特徴とする製造方法。
【請求項１０】
Ｂが架橋−ＣＨ２−Ｂ２−ＣＨ２−である請求項６に記載の式（Ｉ）の染料を製造する方法であって、
１つの互変異性形態が式（Ｘ）：
【化２７】
2009108302.tif 000028
［式中、Ｒ１は、水素、任意に置換されたＣ１〜Ｃ８アルキルまたは任意に置換されたＣ３〜Ｃ８シクロアルキルである］
に対応するジヒドロアントラキノン化合物を、
式（ＸＩ）：
ＯＣＨ−Ｂ２−ＣＨＯ      （ＸＩ）
［式中、
Ｂ２は、式：
【化２８】
2009108302.tif 000029
の架橋であり、
Ｙは、式：
【化２９】
2009108302.tif 000030
の架橋であり、
ｐおよびｒは互いに独立して１〜８の整数であり、
ｑは２〜８の整数であり、
ｓおよびｔは互いに独立して１〜４の整数である］
の二官能性アルデヒド
と反応させることを特徴とする製造方法。
【請求項１１】
１５〜９０重量％、より特に１５〜７０重量％の請求項６に記載の式Ｉの化合物と、担体とを含むマスターバッチ。
【請求項１２】
プラスチックの原料着色のための請求項６に記載の化合物の使用。
【請求項１３】
プラスチックを原料着色する方法であって、好ましくはマスターバッチの形態を取った請求項６に記載の混合物を溶融プラスチック塊に組み込むか、または重合の前に、プラスチックを製造するための出発成分に実際に添加することを特徴とする方法。
【請求項１４】
請求項６に記載の化合物を含むプラスチック。
【請求項１５】
好ましくは分散された形態での、合成繊維を着色するための請求項１に記載の混合物または請求項６に記載の化合物の使用。